(57)【要約】【課題】ブラシ粉による回転軸と電機子巻線との間の耐圧不良を抑制できる整流子電動機を得ることにある。【解決手段】電機子１７の電機子鉄心に巻き付けられた電機子巻線３８と回転軸３１とを絶縁する絶縁端板３６に、回転軸２１に取付けられた整流子３５の整流子ベース４１の回転軸通し穴４５より大径な拡径筒状部３６ｃを形成する。この拡径筒状部３６ｃの先端側部位３６ｅを整流子ベース４１の電機子鉄心側端部４１ａの外周に被嵌させる。それにより、拡径筒状部３６ｃによって、整流子３５の回転軸通し穴４５を覆い隠し、この通し穴内４５に、整流子３５との擦れ合いで発生するカーボンブラシの粉が侵入しないようにしたことを特徴としている。【選択図】　　図３
2004096837.tif 000002
【特許請求の範囲】
【請求項１】
回転軸、この回転軸に取付けられた整流子、前記回転軸に取付けられた電機子鉄心、この電機子鉄心に巻き付けられるとともに巻線端末が前記整流子の各整流子片に接続された電機子巻線、及び前記回転軸に嵌合して前記電機子鉄心と前記整流子との間に配置され前記電機子巻線と前記回転軸とを絶縁する絶縁端板を備えた電機子と、前記整流子片に押付けられるブラシを有したブラシ装置とを具備する整流子電動機において、
前記絶縁端板の前記整流子側部分が、前記整流子の整流子ベースの前記電機子鉄心に向けて開放した回転軸通し穴より大径な拡径筒状部をなしているとともに、この拡径筒状部の先端側部位が前記整流子ベースの電機子鉄心側端部外周に被嵌されている整流子電動機。
【請求項２】
回転軸、この回転軸に取付けられた整流子、前記回転軸に取付けられた電機子鉄心、この電機子鉄心に巻き付けられるとともに巻線端末が前記整流子の各整流子片に接続された電機子巻線、及び前記回転軸に嵌合して前記電機子鉄心と前記整流子との間に配置され前記電機子巻線と前記回転軸とを絶縁する絶縁端板を備えた電機子と、前記整流子片に押付けられるブラシを有したブラシ装置とを具備する整流子電動機において、
前記絶縁端板の前記整流子側部分が、前記整流子の整流子ベースの前記電機子鉄心に向けて開放した回転軸通し穴より大径な拡径筒状部をなしているとともに、この拡径筒状部がその根元を支点とする可撓性を有し、かつ、前記拡径筒状部の先端開口縁がスラスト方向に沿って前記整流子ベースの電機子鉄心側端部に突き当てられている整流子電動機。
【請求項３】
請求項１又は２に記載の整流子電動機において、前記拡径筒状部が前記整流子に向けて次第に広がる半球状に形成されていて、この拡径筒状部の外面に沿うように配線されている前記電機子巻線の端末寄り巻線部分が、前記拡径筒状部の外面にワニスを介して接着されている整流子電動機。
【請求項４】
固定子と、
この固定子の内側に回転自在に配置される請求項１から３の内のいずれか１項に記載の電機子と、
前記固定子を支持するとともに前記電機子の回転軸に取付けられた軸受を支持支持するフレームと、
前記電機子の整流子に押付けられるブラシを有して前記フレームに取付けられたブラシ装置と、
前記回転軸に連結されたファンと、
このファンの入口に対向する吸込み口を有して前記ファンを覆って設けられたファンカバーと、
を具備した電動送風機。
【発明の詳細な説明】
【０００１】
【発明の属する技術分野】
本発明は、電動送風機の電動機部等に用いられる整流子電動機、及びこの整流子電動機でファンを回転させて送風動作を営む電動送風機に関する。
【０００２】
【従来の技術】
整流子電動機は、整流子を有する電機子と、整流子に押付けられるブラシを有したブラシ装置とを備えている。図５に示すように電機子７１は、金属製回転軸７２に取付けた電機子鉄心７３に電機子巻線７４を巻き付けるとともに、回転軸７２に整流子７５を取付けた構成を備えている。更に、電機子７１は、回転軸７２に嵌合して電機子巻線７４と回転軸７２とを電気的に絶縁する一対の絶縁端板７６、７７を備えている。なお、図５中符号８２、８３は夫々回転軸７２に嵌合して取付けられた軸受を示している。
【０００３】
整流子７５は、合成樹脂製の整流子ベース７８と、このベース７８の内周に取付けられた金属製の取付け筒７９と、整流子ベース７８の外周部に取付けられた多数の整流子片８０とを備えている。取付け筒７９と各整流子片８０の素材をなす円筒とは、整流子ベース７８の成形型内にセットされて、このベース７８の成形に伴い整流子ベース７８に取付けられる。このインサート成形のため、取付け筒７９を成形型内に支持する型部構造に対応する回転軸通し穴８１が整流子ベース７８の一端部に設けられている。
【０００４】
整流子７５は、その回転軸通し穴８１を電機子鉄心７３に向けた姿勢で、取付け筒７９を回転軸７２に圧入して、回転軸７２に取付けられている。この取付けに伴い整流子７５の回転軸通し穴８１に、整流子７５側の絶縁端板７６の軸嵌合筒７６ａが挿入される。
【０００５】
回転軸７２に整流子７５が取付けられた状態で、電機子巻線７４の巻き付けが行われて、その巻線端末が各整流子片８０の夫々にスポット溶接により接続される。この巻線の関係により、電機子巻線７４の端末寄り巻線部分７４ａ以外の主巻線部分に対して整流子７５はある程度離れて回転軸７２に取付けられている。図６中符号Ｇで電機子巻線７４の端末寄り巻線部分７４ａ以外の主巻線部分と整流子７５との間の隙間を示す。この隙間Ｇの部分には、各端末寄り巻線部分７４ａが恰も網の目状をなすように互いに交差して各整流子片８０と電機子鉄心７３とにわたって配線されている（図５参照）。この端末寄り巻線部分７４ａは隙間Ｇに位置していることから、図６に示すように宙に浮いている状態にある。
【０００６】
例えば最近の電気掃除機に搭載される電動送風機は、その回転数が毎分数万回転となるように高速化されている。こうした用途の電動送風機の電動機部をなす整流子電動機では、高速回転による遠心力で端末寄り巻線部分７４ａが動揺すると、それに伴って、交差している端末寄り巻線部分７４ａ同士が擦れ合って電気的に短絡する恐れがある。この短絡を抑制するために、従来では、電機子鉄心７３から露出している巻線部分をワニスで固めるようにしている。
【０００７】
しかし、網の目状に交差した各端末寄り巻線部分７４ａの殆どの部分は、その裏側から支持されることなく宙に浮いている状態にある。このため、前記ワニスで固める処理を行った場合にも、各端末寄り巻線部分７４ａを確実に固定することは難しい。このため、整流子電動機の回転数を例えば４００００ｒｐｍ以上に高速化する場合に、それに伴って増大する遠心力で、端末寄り巻線部分７４ａが動揺するおそれが考えられ、その対策が求められている。
【０００８】
【発明が解決しようとする課題】
整流子電動機の運転時には、その整流子とブラシ装置のブラシとが擦れ合うので、ブラシの摩耗粉（ブラシ粉と称する）が不可避的に発生する。このブラシ粉の一部は、自重、若しくは電動送風機にあってはファンの送風力により前記隙間Ｇ側に移動する。ところで、既述のように隙間Ｇに位置する各端末寄り巻線部分７４ａは恰も網の目状をなすように互いに交差していて、その網の目に相当する部分は前記ワニス処理でも殆ど塞がれることがないので、網の目に相当する部分を通ってブラシ粉が回転軸通し穴８１に侵入してしまう。
【０００９】
こうしてブラシ粉が侵入する回転軸通し穴８１には、絶縁端板７６の軸嵌合筒７６ａが挿入されているにも拘らず、この軸嵌合筒７６ａの先端は整流子７５の取付け筒７９に当たってなく、これらの間に回転軸７２の外周面が露出している。回転軸通し穴８１の奥は取付け筒７９で行き止まりになっているので、既述のように侵入するブラシ粉は次第に回転軸通し穴８１に堆積する。このため、堆積した導電性のブラシ粉を介して回転軸７２と電機子巻線７４の整流子７５に近い主巻線部分との間の絶縁耐圧が損なわれる恐れがある。
【００１０】
この対策として、回転軸通し穴８１が埋まるほどワニスを大量に使用することが考えられる。しかし、この場合、ワニスの量の管理や回転軸通し穴８１に集中的にワニスを入れることが困難となり、整流子７５の外周にワニスが付着する事態が予想されるので、この対策は実用的ではない。他の対策として、絶縁端板７６の軸嵌合筒７６ａの先端を整流子７５の取付け筒７９に突き当てることが考えられる。しかし、電機子７１をなす各部品の寸法のばらつき、及び回転軸７２に対する各部品の取付け位置のばらつき等によって、前記突き当て状態を必ず保証することが難しいので、こうした対策も実用的ではない。
【００１１】
本発明が解決しようとする課題は、ブラシ粉による回転軸と電機子巻線との間の耐圧不良を抑制できる整流子電動機、及びこの電動機を備えた電動送風機を得ることにある。
【００１２】
【課題を解決するための手段】
前記課題を解決するために、本発明は、電機子鉄心に巻き付けられた電機子巻線と回転軸とを絶縁する絶縁端板に、回転軸に取付けられた整流子の整流子ベースの回転軸通し穴より大径な拡径筒状部を形成し、この拡径筒状部の先端側部位を整流子ベースの電機子鉄心側端部外周に被嵌させるか、若しくは、前記拡径筒状部がその根元を支点とする可撓性を有するように形成するとともに、この拡径筒状部の先端開口縁をスラスト方向に沿って整流子ベースの電機子鉄心側端部に突き当てたものである。
【００１３】
本発明では、整流子と電機子鉄心との間に配置された絶縁端板の拡径筒状部によって、整流子の回転軸通し穴を覆い隠して、この通し穴内にブラシ粉が侵入しないようにできる。
【００１４】
【発明の実施の形態】
以下、図１〜図４を参照して本発明の一実施形態を説明する。
【００１５】
図１に示す電動送風機１１は、例えば電気掃除機に搭載されて、掃除機本体への吸塵を行うための送風動作を営むために例えば４００００ｒｐｍで高速回転されるものである。この電動送風機１１は、整流子電動機からなる電動機部１２と、ファン部１３とを備えている。
【００１６】
電動機部１２は、フレーム１５に、固定子１６と、電機子１７と、一対のブラシ装置１８とを取付けて形成されている。
【００１７】
フレーム１５は、例えば一端に端壁２１ａを有した円筒状の金属製フレーム本体２１と、この本体２１の他端部に連結された金属製フレーム端板２２とから形成されている。フレーム本体２１及びフレーム端板２２は軸受取付け部２１ｂ、２２ｂを個別に有している。フレーム本体２１の端壁２１ａ側の周壁には風出口２３が複数開けられている。
【００１８】
固定子１６は、外周形状が略矩形状の固定子鉄心を有し、この鉄心の外周数個所をフレーム本体２１の内面に接して、この本体２１内に圧入して取付けられている。それにより、固定子鉄心の外周面とフレーム本体２１の内面との間には複数例えば４つの通気間隙２４（１箇所のみ図示）が形成され、これらの間隙２４を介してフレーム１５の風入口１５ａと風出口２３とが連通されている。風入口１５ａは、フレーム本体２１の開口縁とフレーム端板２２の側縁との間、及びフレーム端板２２に開けた通気孔で形成されている。
【００１９】
図２に示すように電機子１７は、回転軸３１、電機子鉄心３２、一対の軸受３３、３４、整流子３５、一対の絶縁端板３６、３７、及び電機子巻線３８を備えている。
【００２０】
回転軸３１は鉄系材料等の金属の丸棒で作られている。電機子鉄心３２は積層鉄心からなり、その中心部に開けた通孔を回転軸３１に圧入して、この回転軸３１の外周に取付けられている。一対の軸受３３、３４は転がり軸受からなる。一方の軸受３３は回転軸３１の一端部に嵌め付けられ、他方の軸受３４は雄ねじ部を有した回転軸３１の他端部側に寄せて嵌め付けられている。回転軸３１は他方の軸受３４を貫通している。
【００２１】
整流子３５は、整流子ベース４１と、複数の整流子片４２と、取付け筒４３とを備えている。整流子ベース４１は耐熱性を有する合成樹脂等の電気絶縁材で円筒状に作られている。銅合金等からなる各整流子片４２は整流子ベース４１の外周部に周方向に沿って所定間隔に並べて取付けられている。整流子ベース４１の外周部には、周方向に隣接する整流子片４２間を電気的に絶縁する分離溝４４が複数設けられている。整流子ベース４１より短い金属製の取付け筒４３は、整流子ベース４１の内周に取付けられている。
【００２２】
各整流子片４２の素材をなす円筒と取付け筒４３とは、整流子ベース４１の成形型内にセットされて、このベース４１の成形に伴い整流子ベース４１に取付けられる。このインサート成形により、取付け筒４３を成形型内に支持する型部構造に対応する回転軸通し穴４５が整流子ベース４１の一端部に設けられている。なお、各インサート成形後に整流子片４２の素材をなす前記円筒は、前記分離溝４４によって複数に分割されて、夫々の分割片が前記整流子片４２として機能するようになっている。
【００２３】
整流子３５は、その回転軸通し穴４５を電機子鉄心３２に向けた姿勢で、取付け筒４３の内周を回転軸３１に圧入して、軸受３４と電機子鉄心３２との間に位置して回転軸３１に取付けられている。この取付け状態で、電機子鉄心３２側を向いた整流子ベース４１の電機子鉄心側端部４１ａは、図３に示すように第１環状面４１ｂ及び第２環状面４１ｃを有している。これら環状面４１ｂ、４１ｃはいずれも整流子３５の軸方向と略直交する面で作られている。第１環状面４１ｂは、回転軸通し穴４５の孔縁をなしていて、この回転軸通し穴４５より大径である。第２環状面４１ｃは、第１環状面４１ｂの外側に段差を介して連続しており、第１環状面４１ｂより大径に形成されている。
【００２４】
一対の絶縁端板３６、３７は、いずれも合成樹脂等の電気絶縁材料で作られていて、回転軸３１の外周に嵌合する軸嵌合筒３６ａ、３７ａの一端に鉄心カバー部３６ｂ、３７ｂを一体に有している。鉄心カバー部３６ｂ、３７ｂの周部には図４（Ａ）で代表するように電機子鉄心３２の各スロットに対応する切欠きが放射状に設けられている。図４（Ａ）（Ｂ）に示すように一方の絶縁端板３６は軸嵌合筒３６ａの他端に拡径筒状部３６ｃを一体に有している。この筒状部３６ｃに相当する構成は他方の絶縁端板３７には設けられていない。
【００２５】
一方の絶縁端板３６は、電機子鉄心３２と整流子３５との間に位置して回転軸３１の外周に嵌め付けられて、その鉄心カバー部３６ｂは電機子鉄心３２の一端面に被されている。他方の絶縁端板３７は、電機子鉄心３２と軸受３４との間に位置して回転軸３１の外周に嵌め付けられて、その鉄心カバー部３７ｂは電機子鉄心３２の他端面に被されている。
【００２６】
拡径筒状部３６ｃは、例えば整流子３５に向けて次第に広がる半球状に形成されていて、その先端開口径は回転軸通し穴４５より大径、例えば第２環状面４１ｃの径に対応する大きさをなしている。この拡径筒状部３６ｃは、軸嵌合部３６ａに一体に繋がった部分、つまり、根元３６ｄ（図３参照）を支点とする可撓性を有している。
【００２７】
拡径筒状部３６ｃの先端開口縁は、前記回転軸３１への整流子３５の取付けに伴って、スラスト方向に沿って電機子鉄心側端部４１ａの第２環状面４１ｃに突き当てられている。この場合、拡径筒状部３６ｃはその根元３６ｄを支点として撓んだ状態で、弾性的に第２環状面４１ｃに突き当てられている。
【００２８】
この拡径筒状部３６ｃの電機子鉄心側端部４１ａへの突き当ては、第１環状面４１ｂであってもよい。しかし、第２環状面４１ｃに突き当てる構成は、図２（Ａ）（Ｂ）及び図３に例示するように拡径筒状部３６ｃの先端側部位３６ｅ（図３参照）を電機子鉄心側端部４１ａの外周に被嵌させることができるとともに、拡径筒状部３６ｃの外面を後述の端末寄り巻線部分３８ｂにより接近させてこれらの間の空間を少なくできる点で好ましい。
【００２９】
電機子巻線３８は、軸方向両側に絶縁端板３６、３７が配置された状態の電機子鉄心３２に対して巻き付けられている。この電機子巻線３８の巻き付けは、回転軸３１に整流子３５が取付けられた状態で行われる。電機子巻線３８の巻線端末３８ａ（図３参照）は各整流子片４２のライザー部に夫々スポット溶接により接続されている。
【００３０】
巻線の関係により、巻線端末３８ａに連続する電機子巻線３８の端末寄り巻線部分３８ｂ（図３参照）以外の主巻線部分に対して整流子３５はある程度離れて回転軸３１に取付けられている。図３中符号Ｇで電機子巻線３８の前記主巻線部分と整流子３５との間の隙間を示す。この隙間Ｇの部分には、図２（Ａ）に示す如く各端末寄り巻線部分３８ｂが恰も網の目状をなすように互いに交差して各整流子片４２と電機子鉄心３２とにわたって配線されている。図３に示すように隙間Ｇに位置している各端末寄り巻線部分３８ｂは、その裏側に位置された拡径筒状部３６ｃに接して若しくは近接して、この拡径筒状部３６ｃで実質的に支持されるようになっている。
【００３１】
網の目状に交差した各端末寄り巻線部分３８ｂが形成する領域を含んで電機子鉄心３２の両端から露出している電機子巻線３８の巻線部分は、ワニス（なお、作図の都合上図示しない）によって固められている。したがって、接着機能を発揮して固化されたワニスの層によって各端末寄り巻線部分３８ｂの動揺が抑制されている。なお、各端末寄り巻線部分３８ｂの動揺の抑制をより確実にする必要から、各末寄り巻線部分３８ｂを束ねるように糸で縛った状態でワニス処理をして、電動送風機１１のより高速回転化に適合させることは妨げない。
【００３２】
前記構成の電機子１７は、図１に示すように固定子１６の内側を貫通して配設され、一方の軸受３３をフレーム本体２１の軸受取付け部２１ｂに嵌め入れるとともに、他方の軸受３４をフレーム端板２２の軸受取付け部２２ｂに嵌め入れて、フレーム１５に回転自在に支持されている。この電機子１７の回転軸３１は軸受取付け部２２ｂを貫通している。
【００３３】
ファン部１３は、遠心型のファン５１と、整流板５２と、ファンカバー５３とを備えている。ファン５１は、軸受取付け部２２ｂを貫通した回転軸３１の軸端部に、この軸端部の雄ねじ部に螺合されたナット５４により固定されている。ファン５１から吐き出された風を静圧化しながらフレーム１５の風入口１５ａに導く整流板５２は、フレーム本体２１の開口縁部に固定されて、フレーム本体２１とファン５１との間に配置されている。ファン５１及び整流板５２を覆うファンカバー５３は、フレーム本体２１の開口縁部に嵌合して取付けられている。このファンカバー５３は、ファン５１の入口５１ａに対向する吸込み口４３ａを有している。
【００３４】
図１に示すように一対のブラシ装置１８は、フレーム本体２１の周壁を貫通して取付けられている。これらの装置１８は、その一方で代表して示すようにカーボンブラシ１８ａを有している。これらのブラシ１８ａは、コイルばね１８ｂによって付勢されて、整流子片４２に押付けられている。
【００３５】
前記構成の電動送風機１１が運転されると、ファン５１の送風力によりフレーム１５内に図１中矢印で示す気流が形成され、この気流が風出口２３を通ってフレーム１５外に排出される。その一方で電動送風機１１の運転中には、整流子３５とカーボンブラシ１８ａとが擦れ合ってブラシ粉が発生し、整流子３５回りでは、ブラシ粉が整流子３５回りの乱流に乗って舞う状態となる。
【００３６】
ところで、電機子鉄心３２と整流子３５との間に配置された絶縁端板３６の拡径筒状部３６ｃは、電機子巻線３８の網の目状をなすように互いに交差している端末寄り巻線部分３８ｂの裏側に配置されているとともに、この筒状部３６ｃの拡大された先端側部位３６ｅが、電機子鉄心側端部４１ａの外周に被嵌されていて、拡径筒状部３６ｃで整流子３５の回転軸通し穴４５を覆い隠している。なお、図３中符号Ｅは、電機子鉄心側端部４１ａの外周に対する拡径筒状部３６ｃの先端側部位３６ｅの被嵌深さを示している。
【００３７】
このため、整流子３５の回りを舞っているブラシ粉の一部が、互いに交差している端末寄り巻線部分３８ｂ同士間の網の目に相当する部分を通って、端末寄り巻線部分３８ｂの裏側に入り込んでも、そのブラシ粉が整流子３５の回転軸通し穴４５に入り込むことを、絶縁端板３６の拡径筒状部３６ｃで邪魔できるとともに、拡径筒状部３６ｃの外面上に至ったブラシ粉を、整流子３５回りの乱流で舞いたたせ、風出口２３に至る排出気流に乗せることができる。
【００３８】
更に、拡径筒状部３６ｃの先端の開口縁は、整流子ベース４１の電機子鉄心側端部４１ａの外周部に形成された第２環状面４１ｃにスラスト方向に沿って突き当っている。この場合、拡径筒状部３６ｃは、その根元３６ｄを支点として撓んだ状態で、第２環状面４１ｃに弾性的に当接している。このため、電機子１７をなす各部品の寸法のばらつき、及び回転軸３１に対する各部品の取付け位置のばらつき等を吸収して、前記突き当て状態を保証できる。この突き当ては整流子３５の回転軸通し穴４５の径方向外側でなされているので、結果的には、前記突き当てによって拡径筒状部３６ｃが回転軸通し穴４５を覆い隠した構成となっている。
【００３９】
こうした構成だけでも、整流子３５の回りを舞っているブラシ粉の一部が、互いに交差している端末寄り巻線部分３８ｂ同士間の網の目に相当する部分を通って、端末寄り巻線部分３８ｂの裏側に入り込んでも、そのブラシ粉が整流子３５の回転軸通し穴４５に入り込むことを、絶縁端板３６の拡径筒状部３６ｃで邪魔して、拡径筒状部３６ｃの外面上に至ったブラシ粉を、整流子３５回りの乱流で舞いたたせ、風出口２３に至る排出気流に乗せることができる。
【００４０】
以上のように本実施形態では、拡径筒状部３６ｃの拡大された先端側部位を電機子鉄心側端部４１ａの外周に被嵌するという構成と、拡径筒状部３６ｃの先端を電機子鉄心側端部４１ａにスラスト方向に沿って弾性的に突き当てるという構成との夫々により、回転軸通し穴４５を覆い隠して、この穴４５内へのブラシ粉の侵入とその堆積の進行とを抑制できる。それにより、ブラシ粉を介して回転軸３１と電機子巻線３８の整流子３５に近い主巻線部分との間の絶縁耐圧が損なわれないようにできる。
【００４１】
しかも、電機子巻線３８の網の目状をなすように互いに交差している端末寄り巻線部分３８ｂの裏側に設けられている拡径筒状部３６ｃの先端開口縁が突き当たる第２環状面４１ｃは、図３に示すように整流子ベース４１の電機子鉄心側端部４１ａの外周斜面４１ｄ（これは第２環状面４１ｃより更に径方向外側でかつ整流子片４２のライザー部に隣接して設けられている。）により近い位置に形成されている。そして、ライザー部に接続される電機子巻線３８の端末寄り巻線部分３８ｂは外周斜面４１ｄに沿って配線されている。それにより、拡径筒状部３６ｃの先端側部位３６ｅが、端末寄り巻線部分３８ｂの裏側に接触ないしは近接して配置されて、端末寄り巻線部分３８ｂと、この裏側に位置した拡径筒状部３６ｃとの間の空間を極小にできる。
【００４２】
このため、電機子巻線３８の網の目状に交差した各端末寄り巻線部分３８ｂをワニスで固める場合に、ワニスを拡径筒状部３６ｃで受けて、この拡径筒状部３６ｃの外面上に各端末寄り巻線部分３８ｂをワニスで接着し固めることができる。すなわち、各端末寄り巻線部分３８ｂをその裏側からワニスを介して拡径筒状部３６ｃで支持して、各端末寄り巻線部分３８ｂを確実に固定できる。したがって、各端末寄り巻線部分３８ｂの遠心力に対する応力が強いので、電機子１７が例えば４００００ｒｐｍで若しくはそれ以上高速回転される場合であっても、端末寄り巻線部分３８ｂが動揺して短絡するおそれを解消できる。
【００４３】
その上、拡径筒状部３６ｃは、略半球状であって、既述のように各端末寄り巻線部分３８ｂをその裏側から支持可能に設けられているので、巻線を施す場合に電機子巻線３８に与えられる張力に基づき、拡径筒状部３６ｃの根元３６ｄ側に各端末寄り巻線部分３８ｂの中間部が寄せられるようになる。このため、整流子３５の各整流子片４２のライザー部と、電機子鉄心３２に巻き付けられた電機子巻線３８の主巻線部分との間の絶縁距離を、より大きく保つこともできる。
【００４４】
本発明は前記一実施形態には制約されない。本発明の整流子電動機は、電動送風機以外にも、例えば電動器具の動力源として使用することが可能である。又、絶縁端板の拡径筒状部の拡大された先端側部位を整流子ベースの電機子鉄心側端部の外周に被嵌するという構成のみで、本発明を実施する場合、拡径筒状部はその根元を支点に撓むことができるか否かは問わない。
【００４５】
【発明の効果】
請求項１から３の発明、及び請求項４の発明によれば、ブラシ粉による回転軸と電機子巻線との間の耐圧不良を抑制できる整流子電動機、及びこの整流子電動機を備えた電動送風機を提供できる。
【図面の簡単な説明】
【図１】本発明の一実施形態に係る電動送風機を一部断面して示す側面図。
【図２】（Ａ）は図１の電動送風機が備える電機子を一部断面して示す側面図。
（Ｂ）は電機子巻線を除去した状態で図２（Ａ）の電機子を一部断面して示す側面図。
【図３】図２（Ａ）中Ｚ部を拡大して示す断面図。
【図４】（Ａ）は図２の電機子が備える絶縁端板を示す平面図。
（Ｂ）は図２の電機子が備える絶縁端板を示す断面図。
【図５】従来例に係る電動送風機が備える電機子を一部断面して示す側面図。
【図６】図５（Ａ）中Ｙ部を拡大して示す断面図。
【符号の説明】
１１…電動送風機
１２…電送機部（整流子電動機）
１５…フレーム
１６…固定子
１７…電機子
１８…ブラシ装置
１８ａ…カーボンブラシ
２１ｂ、２２ｂ…軸受取付け部
３１…回転軸
３２…電機子鉄心
３３、３４…軸受
３５…整流子
３６…絶縁端板
３６ａ…絶縁端板の軸嵌合部
３６ｃ…絶縁端板の拡径筒状部
３６ｄ…拡径筒状部の根元
３６ｅ…拡径筒状部の先端側部位
３８…電機子巻線
３８ａ…電機子巻線の巻線端末
３８ｂ…電機子巻線の端末寄り巻線部分
４１…整流子ベース
４１ａ…整流子ベースの回転軸通し穴
４１ｂ…整流子ベースの電機子鉄心側端部
４１ｃ…電機子鉄心側端部の第２環状面
４２…整流子片
４３…取付け筒
５１…ファン
５１ａ…ファンの入口
５３…ファンカバー
５３ａ…ファンカバーの吸込み口
【図１】
2004096837.tif 000003
【図２】
2004096837.tif 000004
【図３】
2004096837.tif 000005
【図４】
2004096837.tif 000006
【図５】
2004096837.tif 000007
【図６】
2004096837.tif 000008